(57)【要約】【課題】ガラスが取り付けられた防火戸に関し、耐熱板ガラスを用いることなく、施工の円滑化を図れ、優れた防火機能を発揮できるとともに構造の複雑化を抑制できる防火戸を提供する。【解決手段】戸本体１１の両面側において開口１９を覆うように複数のガラス１２が取り付けられる。金属製の遮蔽板１３が、戸本体１１の内部に収納され、上下方向に沿って移動することで、開口１９から外れた位置に退避した退避位置から開口１９を遮蔽するように複数のガラス１２の間に配置される遮蔽位置に移動する。遮蔽板駆動手段１５は、作動手段１４が作動したときに、錘部２７の落下に伴って遮蔽板１３を退避位置から遮蔽位置へと移動させる。【選択図】        図１
2010126902.tif 000002
【特許請求の範囲】
【請求項１】
火炎を遮蔽するための防火戸であって、
開口が形成された戸本体と、
前記戸本体の少なくとも片面側において前記開口を覆うように取り付けられたガラスと、
金属の板状部材として形成されるとともに、前記戸本体の内部に収納されて、水平方向又は上下方向に沿って移動することで、前記開口から外れた位置に退避した退避位置から前記開口を遮蔽するように前記ガラスに対向するように配置される遮蔽位置に移動する遮蔽板と、
火災の発生に応じて作動する作動手段と、
重力によって落下する錘部及び当該錘部を前記遮蔽板に連結する連結部を有し、前記作動手段が作動したときに、前記錘部の落下に伴って前記遮蔽板を前記退避位置から前記遮蔽位置へと移動させる遮蔽板駆動手段と、
を備えていることを特徴とする、防火戸。
【請求項２】
請求項１に記載の防火戸であって、
前記遮蔽板には、当該遮蔽板が前記遮蔽位置に移動した状態で前記戸本体の内部において前記開口の周囲に沿って配置されるとともに、前記戸本体の内壁に向かって接近する方向に延びる部分を有して隙間を介して前記戸本体の内壁に近接する内壁近接部が設けられ、
前記遮蔽板が前記遮蔽位置に移動することで、前記戸本体の内部において前記開口の両面側を連通する空間経路が、前記戸本体の内壁と前記内壁近接部との間を経由するとともに前記開口の両面側を結ぶ直線方向に対して迂回する迂回経路として形成されることを特徴とする、防火戸。
【請求項３】
請求項２に記載の防火戸であって、
前記内壁近接部は、複数回屈曲形成された板状の部分として設けられていることを特徴とする、防火戸。
【請求項４】
請求項１乃至請求項３のいずれか１項に記載の防火戸であって、
前記戸本体の内壁には、前記開口の周囲に沿って設けられ、前記遮蔽板が前記遮蔽位置に移動した状態で前記遮蔽板に向かって接近する方向に延びる部分を有して隙間を介して前記遮蔽板に近接する遮蔽板近接部が設けられ、
前記遮蔽板が前記遮蔽位置に移動することで、前記戸本体の内部において前記開口の両面側を連通する空間経路が、前記遮蔽板と前記遮蔽板近接部との間を経由するとともに前記開口の両面側を結ぶ直線方向に対して迂回する迂回経路として形成されることを特徴とする、防火戸。
【請求項５】
請求項１に記載の防火戸であって、
前記遮蔽板には、当該遮蔽板が前記遮蔽位置に移動した状態で前記戸本体の内部において前記開口の周囲に沿って配置されるとともに、前記戸本体の内壁に向かって接近する方向に延びる部分を有して隙間を介して前記戸本体の内壁に近接する内壁近接部が設けられ、
前記戸本体の内壁には、前記開口の周囲に沿って設けられ、前記遮蔽板が前記遮蔽位置に移動した状態で前記遮蔽板に向かって接近する方向に延びる部分を有して隙間を介して前記遮蔽板に近接する遮蔽板近接部が設けられ、
前記内壁近接部における前記戸本体の内壁に最も接近した部分が、前記遮蔽板近接部における前記遮蔽板に最も近接した部分よりも、前記戸本体の内壁に近い側に位置し、
前記遮蔽板が前記遮蔽位置に移動することで、前記戸本体の内部において前記開口の両面側を連通する空間経路が、前記遮蔽板近接部と前記内壁近接部との間を経由するとともに前記開口の両面側を結ぶ直線方向に対して迂回する迂回経路として形成されることを特徴とする、防火戸。
【請求項６】
請求項１乃至請求項５のいずれか１項に記載の防火戸であって、
前記戸本体には、その内部において上下方向に沿って配置され、両面のパネル体を支持する柱部材が設けられ、
前記柱部材として、前記錘部が落下移動可能な空間が内部に形成された錘部内蔵柱部材が備えられていることを特徴とする、防火戸
【請求項７】
請求項６に記載の防火戸であって、
前記錘部内蔵柱部材は、内側の壁面が前記錘部の落下移動方向をガイドするように形成されていることを特徴とする、防火戸。
【請求項８】
請求項７に記載の防火戸であって、
前記錘部の側面が、前記錘部内蔵柱部材の内側の壁面に対して挟まれる位置で複数個所において摺接可能に配置されていることを特徴とする、防火戸。
【請求項９】
請求項６乃至請求項８のいずれか１項に記載の防火戸であって、
前記錘部の側面には、前記錘部内蔵柱部材の内側の壁面に対して摺接する樹脂部材が設けられていることを特徴とする、防火戸。
【請求項１０】
請求項６乃至請求項９のいずれか１項に記載の防火戸であって、
前記遮蔽板は、上下方向に沿って移動することで、前記退避位置から前記遮蔽位置に移動し、
前記錘部内蔵柱部材は、前記遮蔽板の両側方に配置されていることを特徴とする、防火戸。
【請求項１１】
請求項１乃至請求項１０のいずれか１項に記載の防火戸であって、
前記作動手段は、前記遮蔽板側と前記戸本体側とを連結するとともに、所定の温度を超えることで溶断されて前記遮蔽板側と前記戸本体側との連結を解除する温度ヒューズ部材として設けられていることを特徴とする、防火戸。
【請求項１２】
請求項１乃至請求項１１のいずれか１項に記載の防火戸であって、
前記遮蔽板駆動手段は複数の前記錘部を有し、複数の前記錘部はそれぞれ前記連結部を介して前記遮蔽板に連結されていることを特徴とする、防火戸。
【請求項１３】
請求項１２に記載の防火戸であって、
前記錘部は２つ設けられ、
２つの前記錘部が、前記遮蔽板に対して、前記遮蔽板の移動方向に対して垂直な方向における両端部において、前記連結部を介してそれぞれ連結されていることを特徴とする、防火戸。
【請求項１４】
請求項１２又は請求項１３に記載の防火戸であって、
前記遮蔽板駆動手段は、１つの前記作動手段の作動に基づいて複数の前記錘部を落下させることを特徴とする、防火戸。
【発明の詳細な説明】
【技術分野】
【０００１】
本発明は、火炎を遮蔽するための防火戸であって、ガラスが取り付けられた防火戸に関する。
【背景技術】
【０００２】
従来、火炎を遮蔽するための防火戸に関し、見通しを良くすることや採光できるようにすること等を目的としてガラスが取り付けられた防火戸が知られている（例えば、特許文献１を参照）。特許文献１に開示された防火戸は、外周が耐火鋼材で支持された耐熱板ガラスを備えて構成されている。
【０００３】
【特許文献１】特開平５−２８７９６１号公報
【発明の開示】
【発明が解決しようとする課題】
【０００４】
特許文献１に開示された防火戸のように、耐熱板ガラスを用いることで、防火戸においても見通しや採光の目的を達成することができる。しかしながら、耐熱板ガラスを用いた防火戸の場合、耐熱板ガラスの取り扱いを専門に行う専門業者によって施工することが必要となる。このため、施工に際して、業者の選定に制約が多くなり、円滑な施工が難しく、更には施工費用の増大を招いてしまうという問題がある。また、耐熱板ガラスを用いるため、耐熱板ガラスでない一般のガラスを用いた場合に比して大幅なコスト増を招いてしまうという問題もある。従って、ガラスが取り付けられて見通しと採光とが確保された防火戸の構造を耐熱板ガラスを用いることなく実現することが望まれる。また、このような防火戸の実現にあたっては、火炎を十分に遮蔽できる優れた防火機能を発揮できることが必要となるとともに、構造の複雑化が抑制されることも望まれる。
【０００５】
本発明は、上記実情に鑑みることにより、ガラスが取り付けられた防火戸に関し、耐熱板ガラスを用いることなく、施工の円滑化を図れ、優れた防火機能を発揮できるとともに構造の複雑化を抑制できる防火戸を提供することを目的とする。
【課題を解決するための手段】
【０００６】
上記目的を達成するための第１発明に係る防火戸は、火炎を遮蔽するための防火戸であって、開口が形成された戸本体と、前記戸本体の少なくとも片面側において前記開口を覆うように取り付けられたガラスと、金属の板状部材として形成されるとともに、前記戸本体の内部に収納されて、水平方向又は上下方向に沿って移動することで、前記開口から外れた位置に退避した退避位置から前記開口を遮蔽するように前記ガラスに対向するように配置される遮蔽位置に移動する遮蔽板と、火災の発生に応じて作動する作動手段と、重力によって落下する錘部及び当該錘部を前記遮蔽板に連結する連結部を有し、前記作動手段が作動したときに、前記錘部の落下に伴って前記遮蔽板を前記退避位置から前記遮蔽位置へと移動させる遮蔽板駆動手段と、を備えていることを特徴とする。
【０００７】
この発明によると、戸本体に形成された開口を覆うようにガラスが取り付けられているため、見通しと採光とを確保することができる。また、戸本体内には金属製の遮蔽板が水平方向又は上下方向に移動可能に収納されている。そして、火災の発生に応じて作動する作動手段が作動したとき、遮蔽板駆動手段が作動して錘部が落下することで、錘部に連結された遮蔽板が、開口から外れた退避位置から開口を遮蔽する遮蔽位置へと移動する。このため、火災発生時には、開口が金属製の遮蔽板で遮蔽され、火災の進展によってガラスが破損しても、火炎を十分に遮蔽できる優れた防火機能を発揮することができる。そして、作動手段の作動に基づいて錘部が落下することで開口を遮蔽できるため、簡易な構造で防火機能を実現でき、構造の複雑化を抑制することができる。また、本発明によると、開口に取り付けるガラスは耐熱板ガラスでなくてよいため、見通しと採光とが確保された防火戸を耐熱板ガラスを用いることなく実現することができる。そして、耐熱板ガラスを用いなくてよいため、施工に際して業者の選定に制約が多くなることがなく、円滑な施工を実現でき、施工費用の増大を抑制することができる。更に、耐熱板ガラスでない一般のガラスを用いることができるため、耐熱板ガラスを用いる場合に比して大幅なコストダウンを図ることもできる。
【０００８】
従って、本発明によると、ガラスが取り付けられた防火戸に関し、耐熱板ガラスを用いることなく、施工の円滑化を図れ、優れた防火機能を発揮できるとともに構造の複雑化を抑制できる防火戸を提供することができる。
【０００９】
第２発明に係る防火戸は、第１発明の防火戸において、前記遮蔽板には、当該遮蔽板が前記遮蔽位置に移動した状態で前記戸本体の内部において前記開口の周囲に沿って配置されるとともに、前記戸本体の内壁に向かって接近する方向に延びる部分を有して隙間を介して前記戸本体の内壁に近接する内壁近接部が設けられ、前記遮蔽板が前記遮蔽位置に移動することで、前記戸本体の内部において前記開口の両面側を連通する空間経路が、前記戸本体の内壁と前記内壁近接部との間を経由するとともに前記開口の両面側を結ぶ直線方向に対して迂回する迂回経路として形成されることを特徴とする。
【００１０】
この発明によると、遮蔽板には、遮蔽位置において開口の周囲で戸本体の内壁に向かって延びてこの内壁に近接する内壁近接部が設けられている。そして、遮蔽位置では、開口の両面側を連通する空間経路として、戸本体の内壁と内壁近接部との間を経由して開口の両面側を結ぶ直線方向に対して迂回する迂回経路が形成される。このため、火災が発生して開口が遮蔽された状態でガラスが破損しても、火炎は、開口を通過するためには、戸本体の内壁と内壁近接部との間の狭い空間を通過するとともに迂回経路も通過しなければならないことになる。これにより、戸本体の内壁と内壁近接部との間の狭い空間と迂回経路とによって、火炎の通過が効率よく阻まれることになる。従って、火炎を効率よく遮蔽できる更に優れた防火機能を実現することができる。
【００１１】
第３発明に係る防火戸は、第２発明の防火戸において、前記内壁近接部は、複数回屈曲形成された板状の部分として設けられていることを特徴とする。
【００１２】
この発明によると、内壁近接部が複数回屈曲形成された板状の部分として設けられるため、屈曲部の位置や個数を調整することで、戸本体の内壁と内壁近接部との間の狭い空間の経路をより長く確保するとともに長い迂回経路を確保することを簡易な構造で容易に実現することができる。これにより、更に効率よく火炎を遮蔽することができる。
【００１３】
第４発明に係る防火戸は、第１発明乃至第３発明のいずれかの防火戸において、前記戸本体の内壁には、前記開口の周囲に沿って設けられ、前記遮蔽板が前記遮蔽位置に移動した状態で前記遮蔽板に向かって接近する方向に延びる部分を有して隙間を介して前記遮蔽板に近接する遮蔽板近接部が設けられ、前記遮蔽板が前記遮蔽位置に移動することで、前記戸本体の内部において前記開口の両面側を連通する空間経路が、前記遮蔽板と前記遮蔽板近接部との間を経由するとともに前記開口の両面側を結ぶ直線方向に対して迂回する迂回経路として形成されることを特徴とする。
【００１４】
この発明によると、戸本体の内壁における開口の周囲には、遮蔽位置において遮蔽板に向かって延びて遮蔽板に近接する遮蔽板近接部が設けられている。そして、遮蔽位置では、開口の両面側を連通する空間経路として、遮蔽板と遮蔽板近接部との間を経由して開口の両面側を結ぶ直線方向に対して迂回する迂回経路が形成される。このため、火災が発生して開口が遮蔽された状態でガラスが破損しても、火炎は、開口を通過するためには、遮蔽板と遮蔽板近接部との間の狭い空間を通過するとともに迂回経路も通過しなければならないことになる。これにより、遮蔽板と遮蔽板近接部との間の狭い空間と迂回経路とによって、火炎の通過が効率よく阻まれることになる。従って、火炎を効率よく遮蔽できる更に優れた防火機能を実現することができる。
【００１５】
第５発明に係る防火戸は、第１発明の防火戸において、前記遮蔽板には、当該遮蔽板が前記遮蔽位置に移動した状態で前記戸本体の内部において前記開口の周囲に沿って配置されるとともに、前記戸本体の内壁に向かって接近する方向に延びる部分を有して隙間を介して前記戸本体の内壁に近接する内壁近接部が設けられ、前記戸本体の内壁には、前記開口の周囲に沿って設けられ、前記遮蔽板が前記遮蔽位置に移動した状態で前記遮蔽板に向かって接近する方向に延びる部分を有して隙間を介して前記遮蔽板に近接する遮蔽板近接部が設けられ、前記内壁近接部における前記戸本体の内壁に最も接近した部分が、前記遮蔽板近接部における前記遮蔽板に最も近接した部分よりも、前記戸本体の内壁に近い側に位置し、前記遮蔽板が前記遮蔽位置に移動することで、前記戸本体の内部において前記開口の両面側を連通する空間経路が、前記遮蔽板近接部と前記内壁近接部との間を経由するとともに前記開口の両面側を結ぶ直線方向に対して迂回する迂回経路として形成されることを特徴とする。
【００１６】
この発明によると、遮蔽板には内壁近接部が設けられ、戸本体の内壁における開口の周囲には遮蔽板近接部が設けられている。また、内壁近接部の最も戸本体内壁側が遮蔽板近接部の最も遮蔽板側よりも戸本体の内壁に近い側に位置するように、内壁近接部と遮蔽板近接部とが入り組んで構成されている。そして、遮蔽位置では、開口の両面側を連通する空間経路として、遮蔽板近接部と内壁近接部との間を経由して開口の両面側を結ぶ直線方向に対して迂回する迂回経路が形成される。このため、火災が発生して開口が遮蔽された状態でガラスが破損しても、火炎は、開口を通過するためには、入り組んで配置された遮蔽板近接部と内壁近接部との間の狭い空間を通過するとともに迂回経路も通過しなければならないことになる。これにより、入り組んで配置された遮蔽板近接部と内壁近接部との間の狭い空間と迂回経路とによって、火炎の通過が効率よく阻まれることになる。従って、火炎を効率よく遮蔽できる更に優れた防火機能を実現することができる。
【００１７】
第６発明に係る防火戸は、第１発明乃至第５発明のいずれかの防火戸において、前記戸本体には、その内部において上下方向に沿って配置され、両面のパネル体を支持する柱部材が設けられ、前記柱部材として、前記錘部が落下移動可能な空間が内部に形成された錘部内蔵柱部材が備えられていることを特徴とする。
【００１８】
この発明によると、戸本体内の強度メンバーとして上下方向に延びてパネル体を支持する柱部材が設けられ、この柱部材として、内部に錘部が落下移動可能な空間が形成された錘部内蔵柱部材が備えられている。このため、戸本体内において強度メンバーを配置するスペースと錘部が落下移動するスペースとを兼用させることができ、戸本体内のスペースを効率よく活用することができる。
【００１９】
第７発明に係る防火戸は、第６発明の防火戸において、前記錘部内蔵柱部材は、内側の壁面が前記錘部の落下移動方向をガイドするように形成されていることを特徴とする。
【００２０】
この発明によると、錘部内蔵柱部材の内側の壁面によって錘部の落下移動方向がガイドされるため、錘部の落下移動時の揺れの発生が抑制され、遮蔽板駆動手段の作動をより速やかに円滑に行わせることができる。
【００２１】
第８発明に係る防火戸は、第７発明の防火戸において、前記錘部の側面が、前記錘部内蔵柱部材の内側の壁面に対して挟まれる位置で複数個所において摺接可能に配置されていることを特徴とする。
【００２２】
この発明によると、錘部の側面が錘部内蔵柱部材の内側の壁面に対して挟まれる位置で複数個所で摺接可能なため、落下移動時における錘部の姿勢がより安定して維持されることになる。このため、遮蔽板駆動手段の作動を更に速やかに円滑に行わせることができる。
【００２３】
第９発明に係る防火戸は、第６発明乃至第８発明のいずれかの防火戸において、前記錘部の側面には、前記錘部内蔵柱部材の内側の壁面に対して摺接する樹脂部材が設けられていることを特徴とする。
【００２４】
この発明によると、錘部の側面において錘部内蔵柱部材の内側の壁面に摺接する樹脂部材が設けられているため、この樹脂部材が錘部と上記壁面との間で緩衝材として機能することになる。このため、防火戸が開閉動作する際に錘部が振動して上記壁面との間で衝突音が発生することが防止され、防音効果が発揮されることになる。
【００２５】
第１０発明に係る防火戸は、第６発明乃至第９発明のいずれかの防火戸において、前記遮蔽板は、上下方向に沿って移動することで、前記退避位置から前記遮蔽位置に移動し、前記錘部内蔵柱部材は、前記遮蔽板の両側方に配置されていることを特徴とする。
【００２６】
この発明によると、遮蔽板が上下方向に移動するため、水平方向よりも上下方向に長い縦長形状の防火戸において、開口の面積を大きく確保することができる。そして、錘部内蔵柱部材が遮蔽板の両側方に配置されているため、錘部の落下移動空間を形成するとともに強度メンバーである錘部内蔵柱部材を、大きな面積が確保された開口と干渉させることなく、戸本体内においてスペース効率よく配置することができる。
【００２７】
第１１発明に係る防火戸は、第１発明乃至第１０発明のいずれかの防火戸において、前記作動手段は、前記遮蔽板側と前記戸本体側とを連結するとともに、所定の温度を超えることで溶断されて前記遮蔽板側と前記戸本体側との連結を解除する温度ヒューズ部材として設けられていることを特徴とする。
【００２８】
この発明によると、作動手段が、所定の温度を超えると溶断されて遮蔽板側と戸本体側との連結を解除する温度ヒューズ部材として設けられ、煙感知器やソレノイドなど電気的な駆動制御手段を介さずに遮蔽板駆動手段を作動させるように構成されている。機械式であるため、作動の信頼性を更に向上させることができる。
【００２９】
第１２発明に係る防火戸は、第１発明乃至第１１発明のいずれかの防火戸において、前記遮蔽板駆動手段は複数の前記錘部を有し、複数の前記錘部はそれぞれ前記連結部を介して前記遮蔽板に連結されていることを特徴とする。
【００３０】
この発明によると、錘部が複数設けられているため、仮に１つの錘部と遮蔽板との連結が破断等した或いはしている場合であっても、他の錘部の落下によって、確実に遮蔽板駆動手段を作動させることができる。
【００３１】
第１３発明に係る防火戸は、第１２発明の防火戸において、前記錘部は２つ設けられ、２つの前記錘部が、前記遮蔽板に対して、前記遮蔽板の移動方向に対して垂直な方向における両端部において、前記連結部を介してそれぞれ連結されていることを特徴とする。
【００３２】
この発明によると、２つの錘部が、遮蔽板に対してその移動方向と垂直な方向の両端部でそれぞれ連結されるため、２つの錘部の落下移動によって、安定した姿勢を維持させながら遮蔽板を移動させることができる。このため、遮蔽板駆動手段の作動をより速やかに円滑に行わせることができる。
【００３３】
第１４発明に係る防火戸は、第１２発明又は第１３発明の防火戸において、前記遮蔽板駆動手段は、１つの前記作動手段の作動に基づいて複数の前記錘部を落下させることを特徴とする。
【００３４】
この発明によると、１つの作動手段の作動に基づいて複数の錘部が落下するため、複数の錘部の落下タイミングの統一を図ることができ、遮蔽板駆動手段の作動を更に速やかに円滑に行わせることができる。また、作動手段が１つでよいため、部品点数の削減を図ることもできる。
【発明の効果】
【００３５】
本発明によると、ガラスが取り付けられた防火戸に関し、耐熱板ガラスを用いることなく、施工の円滑化を図れ、優れた防火機能を発揮できるとともに構造の複雑化を抑制できる防火戸を提供することができる。
【発明を実施するための最良の形態】
【００３６】
以下、本発明を実施するための形態について図面を参照しつつ説明する。尚、本発明は、火炎を遮蔽するための防火戸として広く適用することができるものであり、自動ドア及び手動ドア（手動で開閉されるドア）のいずれ戸の形態に対しても適用することができる。また、開き戸、引き戸、折戸等、種々の形態の戸に対しても適用することができる。
【００３７】
（第１実施形態）
図１は、本発明の第１実施形態に係る防火戸１を示す正面図である。図１に示す防火戸１は、例えば、所定の部屋に対してその内側（室内側）と外側（室外側）とを仕切る戸として設けられる。そして、防火戸１は、例えば、引き戸式の自動ドアとして設けられ、図示しないドア駆動装置によって水平方向に移動するように駆動されることで開閉する。尚、防火戸１は、単独で１枚の自動ドアとして用いられてもよく、また、複数枚で構成される自動ドアにおける１枚の戸として用いられてもよい。また、防火戸１は、室内外を仕切る戸に限らず、通路の途中に配置されて所定の領域に対してその内側と外側とを仕切る戸として設けられてもよい。
【００３８】
図２は図１のＡ−Ａ線矢視断面図であり、図３は図２のＢ−Ｂ線矢視断面図である。図１乃至図３に示すように、防火戸１は、戸本体１１、複数のガラス１２、遮蔽板１３、作動手段１４、遮蔽板駆動手段１５などを備えて構成されている。そして、戸本体１１は、両面のパネル体１６、柱部材１７、横フレーム１８などを備えて構成されている。この戸本体１１は、図示しない建築構造物に対して支持され、上下方向に沿って配置された状態で水平方向において移動自在に支持されている。そして、前述のドア駆動装置が作動することで、戸本体１１が水平方向に移動し、防火戸１の開閉動作が行われる。
【００３９】
図１乃至図３に示すパネル体１６は、水平方向よりも上下方向に長い縦長形状に形成されている。そして、パネル体１６は、室外側に配置されるパネル体１６ａと室内側に配置されるパネル体１６ｂとを有して構成され、鋼製の板材によって形成されている。尚、本実施形態では、１枚の板材が折り曲げ加工されることでパネル対１６（１６ａ、１６ｂ）が形成されている場合を例示しているが、この通りでなくてもよく、複数の板材が互いに固定されることでパネル体１６が形成されていてもよい。また、パネル体１６ａ及びパネル体１６ｂには、その上半側において、大きな四角形状の貫通孔として形成された開口がそれぞれ設けられている。このように戸本体１１のパネル体１６に形成されたこれらの開口が、戸本体１１における開口１９を構成している。
【００４０】
図１及び図２に示す柱部材１７は、戸本体１１内における水平方向の両側（左右両側）にそれぞれ配置された柱部材１７ａと柱部材１７ｂとで構成されている。そして、柱部材１７（１７ａ、１７ｂ）は、戸本体１１の内部において上下方向に沿って配置され、両面のパネル体１６（１６ａ、１６ｂ）を支持する部材（即ち、戸本体１１における上下方向の強度メンバー）として設けられている。各柱部材（１７ａ、１７ｂ）は、複数の鋼製の板材が折り曲げ加工されるとともに互いに固定されることで形成されている。
【００４１】
図４は、図２における柱部材１７ａ及びその近傍を拡大して示す断面図である。図４に示すように、柱部材１７（１７ａ、１７ｂ）は、戸本体１１の内部でパネル体１６ａ及びパネル体１６ｂの両方に対して固定された縦フレーム２０と、縦フレーム２０に固定された錘部支持フレーム２１とで構成されている。柱部材１７（１７ａ、１７ｂ）は、略矩形断面の錘部支持フレーム２１の内部が中空となるように形成されている。これにより、柱部材１７（１７ａ、１７ｂ）は、後述する遮蔽板駆動手段１５の錘部２７が落下移動可能な空間が内部に形成された本実施形態の錘部内蔵柱部材を構成している。尚、後述の錘部２７の水平方向の断面形状は錘部支持フレーム２１の内壁の水平方向の断面形状に沿った形状となっており、これにより、錘部内蔵柱部材である柱部材１７（１７ａ、１７ｂ）は、内側の壁面が錘部２７の落下移動方向をガイドするように形成されている。
【００４２】
図１及び図３に示す横フレーム１８は、戸本体１１の内部において水平方向に沿って配置され、柱部材１７とともに両面のパネル体１６（１６ａ、１６ｂ）を支持する部材（即ち、戸本体１１における水平方向の強度メンバー）として設けられている。そして、横フレーム１８は、鋼製の板材が折り曲げ加工されることで形成され、戸本体１１内の複数個所に配置されるとともに、開口１９の上側及び下側のいずれにも配置されている。尚、横フレーム１８として、開口１９の下側に配置されるとともに、パネル体１６ａとパネル体１６ｂとに対してそれぞれ固定される複数の部材が設けられている。戸本体１１の内部の両面側にそれぞれ配置されたこの横フレーム１８は、戸本体１１のねじれ荷重に対抗するための強度メンバーとして設けられている。
【００４３】
図１及び図３に示す複数のガラス１２は、複数の板ガラスとして設けられ、戸本体１１の両面側において開口１９を戸本体１１の内部側から覆うように取り付けられている。そして、ガラス１２は、パネル体１６ａに対して取り付けられるガラス１２ａと、パネル体１６ｂに対して取り付けられるガラス１２ｂとで構成されている。ガラス１２ａは、パネル体１６ａに形成された開口を塞ぐように配置されている。このガラス１２ａは、その周縁部に沿って配置されるシール部材２３ａを介して開口１９を密閉した状態で、戸本体１１の内壁の一部として設けられたガラス取付部材２２ａによりパネル体１６ａに取り付けられている。また、ガラス１２ｂは、パネル体１６ｂに形成された開口を塞ぐように配置されている。このガラス１２ｂは、その周縁部に沿って配置されるシール部材２３ｂを介して開口１９を密閉した状態で、戸本体１１の内壁として設けられたガラス取付部材２２ｂによりパネル体１６ｂに取り付けられている。
【００４４】
図１乃至図３に示す遮蔽板１３は、鋼（本実施形態における金属）製で略四角形の板状部材として形成されるとともに、戸本体１１の内部に収納されている。この遮蔽板１３は、後述の遮蔽板駆動手段１５と連結され、後述の作動手段１４が作動することにより、戸本体１１内において上下方向に沿って移動するように設けられている。遮蔽板１３は、作動手段１４が作動していない（火災が発生していない場合）状態では、図１乃至図３に示すように、開口１９から外れた下方の位置に退避した退避位置に位置している。一方、作動手段１４が作動すると（火災が発生している場合）、図５の防火戸１の正面図に示すように、退避位置から上方に移動して、開口１９を遮蔽する遮蔽位置へと移動する。図５のＣ−Ｃ線矢視断面図である図６、及び図６のＤ−Ｄ線矢視断面図である図７によく示すように、遮蔽板１３は、上記の遮蔽位置では、開口１９を遮蔽するように複数のガラス１２（１２ａ、１２ｂ）の間に配置されることになる。この遮蔽位置では、遮蔽板１３の上端側は、戸本体１１の一部であるガラス取付部材２２ａにおける開口１９の上側に配置された部分に当接しており、遮蔽板１３の上端側と戸本体１１の内壁との間は封鎖されている。尚、前述した柱部材１７（１７ａ、１７ｂ）は、この遮蔽板１３の両側方に配置されている。
【００４５】
また、遮蔽板１３には、図２、図３、図６及び図７に示すように、その外周の縁部分に沿って設けられた内壁近接部２４が設けられている。この内壁近接部２４としては、遮蔽板１３の上下方向に沿って延びる両側の縁部分にそれぞれ配置された内壁近接部２４ａと、遮蔽板１３の水平方向に沿って延びる下側の縁部分に配置された内壁近接部２４ｂとが設けられている。尚、内壁近接部２４ｂは、複数回屈曲形成された板状の部分として設けられている。
【００４６】
内壁近接部２４（２４ａ、２４ｂ）は、図６及び図７によく示すように、遮蔽板１３が遮蔽位置に移動した状態で戸本体１１の内部において開口１９の周囲に沿って配置されている。そして、この内壁近接部２４（２４ａ、２４ｂ）は、戸本体１１の内壁に向かって延びる部分を有しており、遮蔽板１３が遮蔽位置に移動した状態で、隙間を介して戸本体１１の内壁に近接するように構成されている。また、遮蔽板１３の上下方向に沿って延びる縁部分に配置された内壁近接部２４ａとしては、戸本体１１の内壁においてパネル体１６ａ側に近接するものとパネル体１６ｂ側に近接するものとが設けられている。同様に、遮蔽板１３の水平方向に沿って延びる縁部分に配置された内壁近接部２４ｂとしては、戸本体１１の内壁においてパネル体１６ａ側に近接するものとパネル体１６ｂ側に近接するものとが設けられている。尚、内壁近接部２４ｂのうちパネル体１６ａに近接するものについては、その下面側において、遮蔽板１３が遮蔽位置にあるときに下側の横フレーム１８と当接する防振ゴム２５が取り付けられている。これにより、防火戸１の開閉時における遮蔽板１３の振動が抑制され、振動音の発生が防止されることになる。
【００４７】
一方、遮蔽板１３に内壁近接部２４が設けられているのに対して、戸本体１１の内壁には、図３、図６及び図７に示すように、開口１９の周囲に沿って配置された遮蔽板近接部２６が設けられている。この遮蔽板近接部２６としては、戸本体１１の内壁において、パネル体１６ａ側に配置された遮蔽板近接部２６ａ（図６参照）及び遮蔽板近接部２６ｂ（図３、図７参照）と、パネル体１６ｂ側に配置された遮蔽板近接部２６ｃ（図６参照）とが設けられている。尚、遮蔽板近接部２６ｂは、複数回屈曲形成された板状の部分として設けられている。
【００４８】
遮蔽板近接部２６（２６ａ、２６ｂ、２６ｃ）は、図６及び図７によく示すように、遮蔽板１３が遮蔽位置に移動した状態で遮蔽板１３に向かって接近する方向に延びる部分を有して隙間を介して遮蔽板１３に近接するように構成されている。また、パネル体１６ａ側に配置された遮蔽板近接部２６のうちの遮蔽板近接部２６ａは、開口１９の水平方向の両側（左右両側）においてそれぞれ上下方向に沿って延びるように配置されている。この遮蔽板近接部２６ａは、ガラス取付部材２２ａを構成する部材の一部として設けられている。一方、パネル体１６ａ側に配置された遮蔽板近接部２６のうちの遮蔽板近接部２６ｂは、開口１９の下側において水平方向に沿って延びるように配置されている。この遮蔽板近接部２６ｂは、ガラス取付部材２２ａを構成する部材の一部として設けられている。また、パネル体１６ｂ側に配置された遮蔽板近接部２６ｃは、開口１９の水平方向の両側においてそれぞれ上下方向に沿って延びるように配置されている。この遮蔽板近接部２６ｃは、ガラス取付部材２２ｂを構成する部材の一部として設けられている。
【００４９】
図８は、火災が発生して遮蔽板１３が遮蔽位置に移動して開口１９を遮蔽するとともに、火災によってガラス１２（１２ａ、１２ｂ）が破損した状態を示す図５のＣ−Ｃ線矢視位置に対応する断面図である。また、図９は、図８のＥ−Ｅ線矢視断面図である。図８及び図９に示す状態では、開口１９に取り付けられたガラス１２（１２ａ、１２ｂ）は破損し、パネル体１６ａ及びパネル体１６ｂに設けられた開口は、大きく開放された状態になっている。しかしながら、遮蔽板１３が遮蔽位置に移動することで、戸本体１１の内部において開口１９の両面側を連通する空間経路が、遮蔽板１３の内壁近接部（２４ａ、２４ｂ）と戸本体１１の内壁の遮蔽板近接部（２６ａ、２６ｂ、２６ｃ）との間を経由するとともに開口１９の両面側を結ぶ直線方向に対して迂回する迂回経路（Ｆ、Ｇ）として形成されることになる。
【００５０】
図８中において矢印Ｆで示す迂回経路Ｆ、及び図９中において矢印Ｇで示す迂回経路Ｇは、防火戸１の室内側から室外側に向かう経路を示している。図８に示す迂回経路Ｆは、パネル体１６ｂ側に近接する内壁近接部２４ａと遮蔽板近接部２６ｃとの間を経由した後、更にパネル体１６ａ側に近接する内壁近接部２４ａと遮蔽板近接部２６ａとの間を経由する迂回経路として構成されることになる。尚、パネル体１６ｂ側に近接する内壁近接部２４ａにおける戸本体１１の内壁に最も接近した部分は、遮蔽板近接部２６ｃにおける遮蔽板１３に最も近接した部分よりも、戸本体１１の内壁に近い側に位置している。一方、図９に示す迂回経路Ｇは、パネル体１６ｂ側に近接する内壁近接部２４ｂと戸本体１１のパネル体１６ｂの内壁との間を経由した後、更にパネル体１６ａ側に近接する内壁近接部２４ｂと遮蔽板近接部２６ｂとの間を経由する迂回経路として構成されることになる。尚、パネル体１６ａ側に近接する内壁近接部２４ｂにおける戸本体１１の内壁に最も近接する部分は、遮蔽板近接部２６ｂにおける遮蔽板１３に最も近接した部分よりも、戸本体１１の内壁に近い側に位置している。
【００５１】
図１０は、図３における作動手段１４及びその近傍を拡大して示す断面図である。図１、図３及び図１０に示す作動手段１４（図７、図９では図示を省略）は、戸本体１１の内部において水平方向の両側にそれぞれ配置され（図１参照）、遮蔽板１３に対して一方の端部が取り付けられる遮蔽板側取付片１４ａと、戸本体１１に対して一方の端部が取り付けられる戸本体側取付片１４ｂとをそれぞれ備えている（図１０参照）。そして、作動手段１４は、これらの遮蔽板側取付片１４ａ及び戸本体側取付片１４ｂの他方の端部同士が、所定の温度の融点で溶融する合金によってろう付されて接合されることで構成されている。これにより、作動手段１４は、遮蔽板１３側と戸本体１１側とを連結するとともに、所定の温度を超えることでろう付の部分で溶断されて遮蔽板１３側と戸本体１１側との連結を解除する温度ヒューズ部材として設けられている。即ち、作動手段１４は、火災が発生して所定の温度に達することで作動（溶断）し、遮蔽板１３側と戸本体１１側との連結を解除するように構成されている。尚、作動手段１４の戸本体側取付片１４ｂは、戸本体１１に対しては、室内側に配置されたパネル体１６ｂ側において連結されるように取り付けられている。このため、室内側で発生した火災を迅速に検知できるように配置されている。
【００５２】
遮蔽板駆動手段１５は、図１に示すように、遮蔽板１３に対して水平方向の両側にそれぞれ配置された複数（２つ）の錘部２７と、複数（２つ）の連結ワイヤ２８と、複数（２つ）の滑車２９とを備えて構成されている。遮蔽板駆動手段１５における各錘部２７は、例えば直方体状の鋼塊として形成されており、図１及び図４に示すように、錘部内蔵柱部材である柱部材１７（１７ａ、１７ｂ）の錘部支持フレーム２１内に配置されている。そして、火災発生時には、後述のように、錘部支持フレーム２１内を重力によって落下して、図１に示す状態から図５に示す状態へと移動するように構成されている。また、図４によく示すように、各錘部２７の側面は、柱部材１７（１７ａ、１７ｂ）の錘部支持フレーム２１の内側の壁面に対して挟まれる位置で複数個所において摺接可能に配置されている。更に、各錘部２７の側面には、柱部材１７（１７ａ、１７ｂ）の錘部支持フレーム２１の内側の壁面に対して摺接する樹脂部材３０が設けられている。
【００５３】
また、図１及び図５に示す各連結ワイヤ２８は、鋼製のワイヤとして設けられ、錘部２７を遮蔽板１３に連結する本実施形態の連結部を構成している。そして、各連結ワイヤ２８は、一方の端部が各錘部２７に取り付けられており、他方の端部が図３及び図７にて二点鎖線で示すワイヤ取付部材２８ａを介して遮蔽板１３に取り付けられている。これにより、２つの錘部２７は、それぞれ各連結ワイヤ２８を介して遮蔽板１３に連結されている。尚、２つの錘部２７は、遮蔽板１３に対して、遮蔽板１３の移動方向（本実施形態では上下方向）に対して垂直な方向（本実施形態では水平方向）における両端部において、連結ワイヤ２８を介してそれぞれ連結されている。また、図１、図３及び図７によく示すように、各滑車２９は、戸本体１１の内部において開口１９の上側で水平方向における両側にそれぞれ配置され、戸本体１１に対して取り付けられている。この各滑車２９の車輪の溝部には、各連結ワイヤ２８が掛け回されている。
【００５４】
遮蔽板駆動手段１５においては、火災による温度上昇によって、作動手段１４のろう付部分が溶断すると、戸本体１１と遮蔽板１３との連結が解除され、錘部２７の連結ワイヤ２８及び遮蔽板１３を介した戸本体１１への拘束状態も解除されることになる。これにより、各錘部２７が重力によって落下し、各連結ワイヤ２８が各錘部２７によって引っ張られるとともに各滑車２９の車輪が回転し、錘部２７及び連結ワイヤ２８の移動とともに遮蔽板１３が上方に引き上げられることになる。このように、遮蔽板駆動手段１５は、作動手段１４が作動（溶断）したとき、錘部２７の落下に伴って遮蔽板１３を退避位置（図１乃至図３参照）から遮蔽位置（図５乃至図７参照）へと移動させるように構成されている。
【００５５】
次に、上述した防火戸１の作動について説明する。防火戸１は、火災が発生していない通常時は、自動ドアとして図示しないドア駆動装置によって開閉操作が行われている。一方、例えば防火戸１の室内側で火災が発生したときには、防火戸１は閉鎖され、ドア駆動装置による制御が停止される。そして、火災による温度上昇によって、防火戸１の温度が上昇すると、作動手段１４におけるろう付部分が溶断され、そして遮蔽板１３と戸本体１１との連結が解除され、遮蔽板駆動手段１５が作動し、錘部２７が重力によって落下する。これにより、滑車２９を介して連結ワイヤ２８によって遮蔽板１３が上方に引っ張り上げられ、開口１９を遮蔽するように複数のガラス１２の間に配置される遮蔽位置へと移動することになる（図５乃至図７参照）。
【００５６】
遮蔽板１３が遮蔽位置へと移動した後、室内で発生した火災が消火されておらず火勢が強くなると、室内の温度が更に上昇し、図８及び図９に示すように、ガラス１２が破損することになる。しかしながら、このようにガラス１２が破損した状態でも、開口１９は遮蔽板１３によって遮蔽されていることになる。そして、この状態では、開口１９の両面側を連通する空間経路は、前述した迂回経路Ｆ及び迂回経路Ｇのみとなり、火炎の通過が阻まれることになる。
【００５７】
以上説明した防火戸１によると、戸本体１１に形成された開口１９を覆うようにガラス１２が取り付けられているため、見通しと採光とを確保することができる。また、戸本体１１内には金属製の遮蔽板１３が上下方向に移動可能に収納されている。そして、作動手段１４が作動（溶断）し、遮蔽板駆動手段１５が作動して錘部２７が落下することで、錘部２７に連結された遮蔽板１３が、開口１９から外れた退避位置から開口１９を遮蔽する遮蔽位置へと移動する。このため、火災発生時には、開口１９が金属製の遮蔽板１３で遮蔽され、火災の進展によってガラス１２が破損しても、火炎を十分に遮蔽できる優れた防火機能を発揮することができる。そして、作動手段１４の作動に基づいて錘部２７が落下することで開口１９を遮蔽できるため、簡易な構造で防火機能を実現でき、構造の複雑化を抑制することができる。また、防火戸１によると、開口１９に取り付けるガラス１２は耐熱板ガラスでなくてよいため、見通しと採光とが確保された防火戸１を耐熱板ガラスを用いることなく実現することができる。そして、耐熱板ガラスを用いなくてよいため、施工に際して業者の選定に制約が多くなることがなく、円滑な施工を実現でき、施工費用の増大を抑制することができる。更に、耐熱ガラスでない一般のガラス１２を用いることができるため、耐熱板ガラスを用いる場合に比して大幅なコストダウンを図ることもできる。
【００５８】
従って、本実施形態によると、ガラス１２が取り付けられた防火戸１に関し、耐熱板ガラスを用いることなく、施工の円滑化を図れ、優れた防火機能を発揮できるとともに構造の複雑化を抑制することができる。
【００５９】
また、防火戸１によると、遮蔽板１３には内壁近接部２４（２４ａ、２４ｂ）が設けられ、戸本体１１の内壁における開口１９の周囲には遮蔽板近接部２６（２６ａ、２６ｂ、２６ｃ）が設けられている。また、内壁近接部（２４ａ、２４ｂ）の最も戸本体内壁側が遮蔽板近接部（２６ｂ、２６ｃ）の最も遮蔽板１３側よりも戸本体１１の内壁に近い側に位置するように、内壁近接部（２４ａ、２４ｂ）と遮蔽板近接部（２６ｂ、２６ｃ）とが入り組んで構成されている。そして、遮蔽位置では、開口１９の両面側を連通する空間経路として、遮蔽板近接部２４と内壁近接部２６との間を経由して開口１９の両面側を結ぶ直線方向に対して迂回する迂回経路（Ｆ、Ｇ）が形成される。このため、火災が発生して開口１９が遮蔽された状態でガラス１２が破損しても、火炎は、開口１９を通過するためには、入り組んで配置された遮蔽板近接部２４と内壁近接部２６との間の狭い空間を通過するとともに迂回経路（Ｆ、Ｇ）も通過しなければならないことになる。これにより、入り組んで配置された遮蔽板近接部２４と内壁近接部２６との間の狭い空間と迂回経路（Ｆ、Ｇ）とによって、火炎の通過が効率よく阻まれることになる。従って、火炎を効率よく遮蔽できる更に優れた防火機能を実現することができる。
【００６０】
また、内壁近接部２４ｂ及び遮蔽板近接部２６ｂが複数回屈曲形成された板状の部分として設けられるため、屈曲部の位置や個数を調整することで、内壁近接部２４ｂと遮蔽板近接部２６ｂとの間の狭い空間の経路をより長く確保するとともに長い迂回経路を確保することを簡易な構造で容易に実現することができる。これにより、更に効率よく火炎を遮蔽することができる。
【００６１】
また、防火戸１によると、戸本体１１内の強度メンバーとして上下方向に延びてパネル体１６を支持する柱部材１７が設けられ、この柱部材１７として、内部に錘部２７が落下移動可能な空間が形成された錘部内蔵柱部材１７（１７ａ、１７ｂ）が備えられている。このため、戸本体１１内において強度メンバーを配置するスペースと錘部２７が落下移動するスペースとを兼用させることができ、戸本体１１内のスペースを効率よく活用することができる。
【００６２】
また、防火戸１によると、錘部内蔵柱部材１７の内側の壁面によって錘部２７の落下移動方向がガイドされるため、錘部２７の落下移動時の揺れの発生が抑制され、遮蔽板駆動手段１５の作動をより速やかに円滑に行わせることができる。そして、防火戸１によると、錘部２７の側面が錘部内蔵柱部材１７の内側の壁面に対して挟まれる位置で複数個所で摺接可能なため、落下移動時における錘部２７の姿勢がより安定して維持されることになる。このため、遮蔽板駆動手段１５の作動を更に速やかに円滑に行わせることができる。
【００６３】
また、防火戸１によると、錘部２７の側面において錘部内蔵柱部材１７の内側の壁面に摺接する樹脂部材３０が設けられているため、この樹脂部材３０が錘部２７と上記壁面との間で緩衝材として機能することになる。このため、防火戸１が開閉動作する際に錘部２７が振動して上記壁面との間で衝突音が発生することが防止され、防音効果が発揮されることになる。
【００６４】
また、防火戸１によると、遮蔽板１３が上下方向に移動するため、水平方向よりも上下方向に長い縦長形状の防火戸において、開口１９の面積を大きく確保することができる。そして、錘部内蔵柱部材１７が遮蔽板１３の両側方に配置されているため、錘部２７の落下移動空間を形成するとともに強度メンバーである錘部内蔵柱部材１７を、大きな面積が確保された開口１９と干渉させることなく、戸本体１１内においてスペース効率よく配置することができる。
【００６５】
また、防火戸１によると、作動手段１４が、所定の温度を超えると溶断されて遮蔽板１３側と戸本体１１側との連結を解除する温度ヒューズ部材として設けられ、煙感知器やソレノイドなど電気的な駆動制御手段を介さずに遮蔽板駆動手段１５を作動させるように構成されている。このため、火災発生時に確実に作動する機械式の作動手段１４によって、防火機能の信頼性を更に向上させることができる。
【００６６】
また、防火戸１によると、錘部２７が複数設けられているため、１つの錘部２７と遮蔽板１３とを連結している連結ワイヤ２８が破断等した或いはしている場合であっても、他の錘部２７の落下によって、確実に遮蔽板駆動手段１５を作動させることができる。そして、防火戸１によると、２つの錘部２７が、遮蔽板１３に対してその移動方向と垂直な方向の両端部でそれぞれ連結されるため、２つの錘部２７の落下移動によって、安定した姿勢を維持させながら遮蔽板１３を移動させることができる。このため、遮蔽板駆動手段１５の作動をより速やかに円滑に行わせることができる。
【００６７】
（第２実施形態）
図１１は、本発明の第２実施形態に係る防火戸２を示す正面図である。図１１に示す防火戸２は、例えば、所定の部屋に対してその内側（室内側）と外側（室外側）とを仕切る戸として設けられる。そして、防火戸２は、第１実施形態と同様に、引き戸式の自動ドアとして設けられ、図示しないドア駆動装置によって水平方向に移動するように駆動されることで開閉する。
【００６８】
図１２は図１１のＨ−Ｈ線矢視断面図である。図１及び図２に示すように、防火戸２は、戸本体３１、複数のガラス３２、遮蔽板３３、作動手段３４、遮蔽板駆動手段３５などを備えて構成されている。そして、戸本体３１は、両面のパネル体３６、柱部材３７、横フレーム３８などを備えて構成されている。この戸本体３１は、図示しない建築構造物に対して支持され、上下方向に沿って配置された状態で水平方向において移動自在に支持されている。そして、前述のドア駆動装置が作動することで、戸本体３１が水平方向に移動し、防火戸２の開閉動作が行われる。
【００６９】
図１１及び図１２に示すパネル体３６は、水平方向よりも上下方向に長い縦長形状に形成されている。そして、パネル体３６は、室外側に配置されるパネル体３６ａと室内側に配置されるパネル体３６ｂとを有して構成され、鋼製の板材によって形成されている。尚、パネル体３６（３６ａ、３６ｂ）は、第１実施形態と同様に、１枚の板材が折り曲げ加工されることで形成されている。また、パネル体３６ａ及びパネル体３６ｂには、その上半側にて水平方向における一方に偏った位置に、縦長の長方形の貫通孔として形成された開口がそれぞれ設けられている。このように戸本体３１のパネル体３６に形成されたこれらの開口が、戸本体３１における開口３９を構成している。
【００７０】
図１１及び図１２に示す柱部材３７は、戸本体１１の内部において上下方向に沿って配置され、両面のパネル体３６（３６ａ、３６ｂ）を支持する部材（即ち、戸本体３１における上下方向の強度メンバー）として設けられている。この柱部材３７は、第１実施形態の柱部材１７と同様に構成されている。即ち、柱部材３７は、戸本体３１の内部でパネル体３６ａ及びパネル体３６ｂの両方に対して固定された縦フレームと、この縦フレームに固定された錘部支持フレームとで構成されている。柱部材３７における縦フレーム及び錘部支持フレームは、第１実施形態の柱部材１７の縦フレーム２０及び錘部支持フレーム２１と同様に構成されている。これにより、柱部材３７は、後述する遮蔽板駆動手段３５の錘部４７が落下移動可能な空間が内部に形成された本実施形態の錘部内蔵柱部材を構成しており、更に、柱部材３７の内側の壁面が錘部４７の落下移動方向をガイドするように形成されている。尚、戸本体１１では、柱部材３７以外にも、上下方向の強度メンバーを構成する他の縦フレームが複数設けられている。
【００７１】
図１１及び図１２に示す複数のガラス３２は、複数の板ガラスとして設けられ、戸本体３１の両面側において縦長の長方形の開口３９を戸本体３１の内部側から覆うように取り付けられている。そして、ガラス３２は、パネル体３６ａに対して取り付けられるガラス３２ａと、パネル体３６ｂに対して取り付けられるガラス３２ｂとで構成されている。ガラス３２ａは、パネル体３６ａに形成された開口を塞ぐように配置されている。このガラス３２ａは、その周縁部に沿って配置されるシール部材４３ａを介して開口３９を密閉した状態で、戸本体３１の内壁の一部として設けられたガラス取付部材４２ａによりパネル体３６ａに取り付けられている。また、ガラス３２ｂは、パネル体３６ｂに形成された開口を塞ぐように配置されている。このガラス３２ｂは、その周縁部に沿って配置されるシール部材４３ｂを介して開口３９を密閉した状態で、戸本体３１の内壁として設けられたガラス取付部材４２ｂによりパネル体３６ｂに取り付けられている。
【００７２】
図１１及び図１２に示す遮蔽板３３は、鋼（本実施形態における金属）製で略四角形の板状部材として形成されるとともに、戸本体３１の内部に収納されている。この遮蔽板３３は、後述の遮蔽板駆動手段３５と連結され、後述の作動手段３４が作動することにより、戸本体３１内において水平方向に沿って移動するように設けられている。遮蔽板３３は、作動手段３４が作動していない（火災が発生していない場合）状態では、図１１及び図１２に示すように、開口３９から外れた側方の位置に退避した退避位置に位置している。一方、作動手段３４が作動すると（火災が発生している場合）、図１３の防火戸２の正面図に示すように、退避位置から開口３９側に向かって水平方向に移動して、開口３９を遮蔽する遮蔽位置へと移動する。
【００７３】
図１４は図１３のＩ−Ｉ線矢視断面図であり、図１５は図１４のＪ−Ｊ線矢視断面図である。図１１、図１３及び図１５によく示すように、遮蔽板３３の下端部には、複数の車輪５１が取り付けられている。この車輪５１は、遮蔽板３３の下端部分である車輪保持部５３に対して回転自在に保持されている。そして、戸本体１１の内部には、水平方向の強度メンバーである横フレーム３８に対して取り付けられて、水平方向に沿って延びるように配置されたレール部材５２が設けられている。遮蔽板３３は、車輪５１における周方向に延びる溝部がレール部材５２上に転動自在に配置されることで、レール部材５２に沿って水平方向に移動可能に設けられている。そして、上述のように、作動手段３４が作動すると、遮蔽板３３は、上記の退避位置から遮蔽位置へとレール部材５２に沿って水平方向に移動する。また、遮蔽板３３は、上記の遮蔽位置では、開口３９を遮蔽するように複数のガラス３２（３２ａ、３２ｂ）の間に配置されることになる。この遮蔽位置では、遮蔽板３３の水平方向における一端側（退避位置から遮蔽位置へと向かう方向における端部側）は、戸本体３１の一部であるガラス取付部材４２ａにおける開口３９の側方に配置されている部分に当接しており、遮蔽板３３の一端側と戸本体３１の内壁との間は封鎖されている。
【００７４】
また、遮蔽板３３には、図１２、図１４及び図１５に示すように、その外周の縁部分に沿って設けられた内壁近接部４４（４４ａ、４４ｂ、４４ｃ）が設けられている。内壁近接部４４ａは、遮蔽板３３の水平方向における他端側（遮蔽位置から退避位置へと向かう方向における端部側）の縁部分に配置され、遮蔽板３３の上下方向に沿って延びるように設けられている。内壁近接部４４ｂは、遮蔽板３３の上側の縁部分に配置され、遮蔽板３３の水平方向に沿って延びるように設けられている。内壁近接部４４ｃは、遮蔽板３３の下側の縁部分に配置され、遮蔽板３３の水平方向に沿って延びるように設けられている。尚、内壁近接部４４ａには、その他端側の端部において、遮蔽板３３が退避位置にあるときに戸本体３１における縦フレームと当接する防振ゴム４５が取り付けられている。これにより、防火戸２の開閉時における遮蔽板３３の振動が抑制され、振動音の発生が防止されることになる。
【００７５】
内壁近接部４４（４４ａ、４４ｂ、４４ｃ）は、図１４及び図１５によく示すように、遮蔽板３３が遮蔽位置に移動した状態で戸本体３１の内部において開口１９の周囲に沿って配置されている。そして、この内壁近接部４４（４４ａ、４４ｂ、４４ｃ）は、戸本体３１の内壁に向かって延びる部分を有しており、遮蔽板３３が遮蔽位置に移動した状態で、隙間を介して戸本体３１の内壁に近接するように構成されている。また、内壁近接部４４ａにおいては、戸本体３１の内壁においてパネル体３６ａ側に近接するものとパネル体３６ｂ側に近接するものとが設けられている。同様に、内壁近接部４４ｂ及び内壁近接部４４ｃにおいても、戸本体３１の内壁においてパネル体３６ａ側に近接するものとパネル体３６ｂ側に近接するものとが設けられている。尚、内壁近接部４４ｃは、車輪保持部５３を構成する部材の一部として設けられている。
【００７６】
一方、遮蔽板３３に内壁近接部４４が設けられているのに対して、戸本体３１の内壁には、図１２、図１４及び図１５に示すように、開口３９の周囲に沿って配置された遮蔽板近接部４６が設けられている。この遮蔽板近接部４６としては、戸本体３１の内壁において、上下方向に沿って延びるように配置された遮蔽板近接部４６ａ及び遮蔽板近接部４６ｂと、開口１９の上側で水平方向に沿って延びるように配置された遮蔽板近接部４６ｃ及び遮蔽板近接部４６ｄと、開口１９の下側で水平方向に沿って延びるように配置された遮蔽板近接部４６ｅ及び遮蔽板近接部４６ｆと、が設けられている。
【００７７】
遮蔽板近接部４６（４６ａ、４６ｂ、４６ｃ、４６ｄ、４６ｅ、４６ｆ）は、図１４及び図１５によく示すように、遮蔽板３３が遮蔽位置に移動した状態で遮蔽板３３に向かって接近する方向に延びる部分を有して隙間を介して遮蔽板３３に近接するように構成されている。そして、遮蔽板近接部４６ａ及び遮蔽板近接部４６ｂは、遮蔽位置にある遮蔽板３３の他端側に対向するように配置され、遮蔽板近接部４６ａがパネル体３６ａ側に設けられ、遮蔽板近接部４６ｂがパネル体３６ｂ側に設けられている。また、遮蔽板近接部４６ａはガラス取付部材４２ａを構成する部材の一部として設けられ、遮蔽板近接部４６ｂはガラス取付部材４２ｂを構成する部材の一部として設けられている。遮蔽板近接部４６ｃ及び遮蔽板近接部４６ｅは、パネル体３６ａ側に設けられて、ガラス取付部材４２ａを構成する部材の一部として設けられている。遮蔽板近接部４６ｄ及び遮蔽板近接部４６ｆは、パネル体３６ｂ側に設けられて、ガラス取付部材４２ｂを構成する部材の一部として設けられている。
【００７８】
図１６は、火災が発生して遮蔽板３３が遮蔽位置に移動して開口３９を遮蔽するとともに、火災によってガラス３２（３２ａ、３２ｂ）が破損した状態を示す図１１のＨ−Ｈ線矢視位置に対応する断面図である。また、図１７は、図１６のＫ−Ｋ線矢視断面図である。図１６及び図１７に示す状態では、開口３９に取り付けられたガラス３２（３２ａ、３２ｂ）は破損し、パネル体３６ａ及びパネル体３６ｂに設けられた開口は、大きく開放された状態になっている。しかしながら、遮蔽板３３が遮蔽位置に移動することで、戸本体３１の内部において開口３９の両面側を連通する空間経路が、遮蔽板３３の内壁近接部（４４ａ、４４ｂ、４４ｃ）と戸本体３１の内壁の遮蔽板近接部（４６ａ、４６ｂ、４６ｃ、４６ｄ、４６ｅ、４６ｆ）との間を経由するとともに開口３９の両面側を結ぶ直線方向に対して迂回する迂回経路（Ｌ、Ｍ、Ｎ）として形成されることになる。
【００７９】
図１６中において矢印Ｌで示す迂回経路Ｌ、図９中において矢印Ｍ及び矢印Ｎでそれぞれ示す迂回経路Ｍ及び迂回経路Ｎは、防火戸２の内側から外側に向かう経路を示している。図１６に示す迂回経路Ｌは、パネル体３６ｂ側に近接する内壁近接部４４ａと遮蔽板近接部４６ｂとの間を経由した後、更にパネル体１６ａ側に近接する内壁近接部４４ａと遮蔽板近接部４６ａとの間を経由する迂回経路として構成されることになる。また、図１７に示す迂回経路Ｍは、パネル体３６ｂ側に近接する内壁近接部４４ｂと遮蔽板近接部４６ｄとの間を経由した後、更にパネル体３６ａ側に近接する内壁近接部４４ｂと遮蔽板近接部４６ｃとの間を経由する迂回経路として構成されることになる。尚、パネル体３６ｂ側に近接する内壁近接部４４ｂにおける戸本体３１の内壁に最も近接する部分は、遮蔽板近接部４６ｄにおける遮蔽板３３に最も近接した部分よりも、戸本体３１の内壁に近い側に位置している。また、図１７に示す迂回経路Ｎは、パネル体３６ｂ側に近接する内壁近接部４４ｃと遮蔽板近接部４６ｆとの間を経由した後、更にパネル体３６ａ側に近接する内壁近接部４４ｃと遮蔽板近接部４６ｅとの間を経由する迂回経路として構成されることになる。
【００８０】
図１１及び図１２に示す作動手段３４は、戸本体３１の内部において開口１９の上下方向におけるほぼ中間位置に１つ配置されている。この作動手段３４は、第１実施形態の作動手段１４と同様に構成されている。即ち、作動手段３４は、遮蔽板３３に対して一方の端部が取り付けられる遮蔽板側取付片と、戸本体３１に対して一方の端部が取り付けられる戸本体側取付片とを備え、これらの遮蔽板側取付片及び戸本体側取付片の他方の端部同士が、所定の温度の融点で溶融する合金によってろう付されて接合されることで構成されている。これにより、作動手段３４は、遮蔽板３３側と戸本体３１側とを連結するとともに、所定の温度を超えることでろう付の部分で溶断されて遮蔽板３３側と戸本体３１側との連結を解除する温度ヒューズ部材として設けられている。即ち、作動手段３４は、火災が発生して所定の温度に達することで作動（溶断）し、遮蔽板３３側と戸本体３１側との連結を解除するように構成されている。
【００８１】
遮蔽板駆動手段３５は、図１１に示すように、上下方向に並んで配置された複数（２つ）の錘部４７と、複数（２つ）の連結ワイヤ４８と、複数（２つ）の滑車４９とを備えて構成されている。遮蔽板駆動手段３５における各錘部４７は、例えば直方体状の鋼塊として形成されており、図１１乃至図１４に示すように、錘部内蔵柱部材である柱部材３７内に配置されている。そして、火災発生時には、後述のように、柱部材３７内を重力によって落下して、図１１に示す状態から図１３に示す状態へと移動するように構成されている。尚、錘部４７は、第１実施形態の錘部２７と同様に、その側面が柱部材３７の錘部支持フレームの内側の壁面に対して挟まれる位置で複数個所において摺接可能に配置されている。更に、各錘部４７の側面には、柱部材３７の錘部支持フレームの内側の壁面に対して摺接する樹脂部材（第１実施形態の樹脂部材３０と同様の樹脂部材）が設けられている。
【００８２】
また、図１１及び図１３に示す各連結ワイヤ４８は、鋼製のワイヤとして設けられ、錘部４７を遮蔽板３３に連結する本実施形態の連結部を構成している。そして、各連結ワイヤ４８は、一方の端部が各錘部４７に取り付けられており、他方の端部が図１２及び図１４にて二点鎖線で示すワイヤ取付部材４８ａを介して遮蔽板３３に取り付けられている。これにより、２つの錘部４７は、それぞれ各連結ワイヤ４８を介して遮蔽板３３に連結されている。尚、２つの錘部４７は、遮蔽板３３に対して、遮蔽板３３の移動方向（本実施形態では水平方向）に対して垂直な方向（本実施形態では上下方向）における両端部において、連結ワイヤ４８を介してそれぞれ連結されている。また、図１１乃至図１３、及び図１５に示すように、各滑車４９は、戸本体３１の内部において開口３９の側方で上下方向における両側にそれぞれ配置され、戸本体３１に対して取り付けられている。この各滑車４９の車輪の溝部には、各連結ワイヤ４８が掛け回されている。
【００８３】
遮蔽板駆動手段３５においては、火災による温度上昇により、１つの作動手段３４のろう付部分が溶断すると、戸本体３１と遮蔽板３３との連結が解除され、錘部４７の連結ワイヤ４８及び遮蔽板３３を介した戸本体３１への拘束状態も解除されることになる。これにより、各錘部４７が重力によって落下し、各連結ワイヤ４８が各錘部４７によって引っ張られるとともに各滑車４９の車輪が回転し、錘部４７及び連結ワイヤ４８の移動とともに遮蔽板３３が水平方向に引っ張られることになる。このように、遮蔽板駆動手段３５は、作動手段３４が作動（溶断）したとき、錘部４７の落下に伴って遮蔽板３３を退避位置（図１１及び図１２参照）から遮断位置（図１３乃至図１５参照）へと移動させるように構成されている。尚、この遮蔽板駆動手段３５は、１つの作動手段３４の作動に基づいて複数の錘部４７を落下させるように構成されている。
【００８４】
次に、上述した防火戸２の作動について説明する。防火戸２は、火災が発生していない通常時は、自動ドアとして図示しないドア駆動装置によって開閉操作が行われている。一方、例えば防火戸２の室内側で火災が発生したときには、防火戸２は閉鎖され、ドア駆動装置による制御が停止される。そして、火災による温度上昇によって、防火戸２の温度が上昇すると、作動手段３４におけるろう付部分が溶断され、遮蔽板３３と戸本体３１との連結が解除され、遮蔽板駆動手段３５が作動し、錘部４７が重力によって落下する。これにより、滑車４９を介して連結ワイヤ４８によって遮蔽板３３が水平方向に引っ張られてレール部材５２上を移動し、開口３９を遮蔽するように複数のガラス３２の間に配置される遮蔽位置へと移動することになる（図１３乃至図１５参照）。
【００８５】
遮蔽板３３が遮蔽位置へと移動した後、室内で発生した火災が消火されておらず火勢が強くなると、室内の温度が更に上昇し、図１６及び図１７に示すように、ガラス３２が破損することになる。しかしながら、このようにガラス３２が破損した状態でも、開口３９は遮蔽板３３によって遮蔽されていることになる。そして、この状態では、開口３９の両面側を連通する空間経路は、前述した迂回経路Ｌ、迂回経路Ｍ、及び迂回経路Ｎのみとなり、火炎の通過が阻まれることになる。
【００８６】
以上説明した防火戸２によると、戸本体３１に形成された開口３９を覆うようにガラス３２が取り付けられているため、見通しと採光とを確保することができる。また、戸本体３１内には金属製の遮蔽板３３が水平方向に移動可能に収納されている。そして、作動手段３４が作動（溶断）したときに、遮蔽板駆動手段３５が作動して錘部４７が落下することで、錘部４７に連結された遮蔽板３３が、開口３９から外れた退避位置から開口３９を遮蔽する遮蔽位置へと移動する。このため、火災発生時には、開口３９が金属製の遮蔽板３３で遮蔽され、火災の進展によってガラス３２が破損しても、火炎を十分に遮蔽できる優れた防火機能を発揮することができる。そして作動手段３４の作動に基づいて錘部４７が落下することで開口３９を遮蔽できるため、簡易な構造で防火機能を実現でき、構造の複雑化を抑制することができる。また、防火戸２によると、開口３９に取り付けるガラス３２は耐熱板ガラスでなくてよいため、見通しと採光とが確保された防火戸２を耐熱板ガラスを用いることなく実現することができる。そして、耐熱板ガラスを用いなくてよいため、施工に際して業者の選定に制約が多くなることがなく、円滑な施工を実現でき、施工費用の増大を抑制することができる。更に、耐熱ガラスでない一般のガラス３２を用いることができるため、耐熱板ガラスを用いる場合に比して大幅なコストダウンを図ることもできる。
【００８７】
従って、本実施形態によると、ガラス３２が取り付けられた防火戸２に関し、耐熱板ガラスを用いることなく、施工の円滑化を図れ、優れた防火機能を発揮できるとともに構造の複雑化を抑制することができる。
【００８８】
また、防火戸１によると、遮蔽板３３には内壁近接部４４（４４ａ、４４ｂ、４４ｃ）が設けられ、戸本体１１の内壁における開口１９の周囲には遮蔽板近接部４６（４６ａ、４６ｂ、４６ｃ、４６ｄ、４６ｅ、４６ｆ）が設けられている。そして、遮蔽位置では、開口３９の両面側を連通する空間経路として、遮蔽板近接部４４と内壁近接部４６との間を経由して開口３９の両面側を結ぶ直線方向に対して迂回する迂回経路（Ｌ、Ｍ、Ｎ）が形成される。このため、火災が発生して開口３９が遮蔽された状態でガラス３２が破損しても、火炎は、開口３９を通過するためには、遮蔽板近接部４４と内壁近接部４６との間の狭い空間を通過するとともに迂回経路（Ｌ、Ｍ、Ｎ）も通過しなければならないことになる。これにより、遮蔽板近接部４４と内壁近接部４６との間の狭い空間と迂回経路（Ｌ、Ｍ、Ｎ）とによって、火炎の通過が効率よく阻まれることになる。従って、火炎を効率よく遮蔽できる更に優れた防火機能を実現することができる。
【００８９】
また、防火戸２によると、柱部材４７が設けられていることで、第１実施形態と同様に、戸本体３１内において強度メンバーを配置するスペースと錘部４７が落下移動するスペースとを兼用させることができ、戸本体３１内のスペースを効率よく活用することができる。
【００９０】
また、防火戸２によると、作動手段３４が、第１実施形態と同様に、火災発生時に確実に作動する機械式の作動手段３４として設けられているため、作動の信頼性を更に向上させることができる。
【００９１】
また、防火戸２によると、第１実施形態と同様に、錘部４７が複数設けられているため、１つの錘部４７と遮蔽板３３とを連結している連結ワイヤ４８が破断等した或いはしている場合であっても、他の錘部４７の落下によって、確実に遮蔽板駆動手段３５を作動させることができる。そして、防火戸２によると、２つの錘部４７が、遮蔽板３３に対してその移動方向と垂直な方向の両端部でそれぞれ連結されるため、２つの錘部４７の落下移動によって、安定した姿勢を維持させながら遮蔽板３３を移動させることができる。このため、遮蔽板駆動手段３５の作動をより速やかに円滑に行わせることができる。
【００９２】
また、防火戸２によると、１つの作動手段３４の作動に基づいて複数の錘部４７が落下するため、複数の錘部４７の落下タイミングの統一を図ることができ、遮蔽板駆動手段３５の作動を更に速やかに円滑に行わせることができる。また、作動手段３４が１つでよいため、部品点数の削減を図ることもできる。
【００９３】
以上、本発明の実施形態について説明したが、本発明は上述の実施の形態に限られるものではなく、特許請求の範囲に記載した限りにおいて様々に変更して実施することができる。例えば、次のように変更して実施してもよい。
【００９４】
上記の実施形態では、引き戸式の自動ドアに対して適用される場合を例にとって説明したが、この通りでなくてよく、開き戸式や折戸式の防火戸として適用されてもよく、また、手動ドアに適用されてもよい。
【００９５】
開口の位置や大きさについては、上記の実施形態で例示したものに限らず、種々変更して実施することができる。また、ガラスの枚数については、上記の実施形態で例示した２枚であれば、遮蔽板の移動時に通行人等の手等が触れることが無く、安全性を確保できるが、これに限られず、他の手段（通行人等の手等が戸本体の内部に入り込めない程度のサイズの格子や金網など）により安全性を確保することもできるのでガラスの枚数は１枚であっても本発明の目的は達成できる。更に気密性や遮音性等を無視できる場合は、ガラスを用いず、上記他の手段による安全性の確保のみ行っても良い。また、戸本体における柱部材については、上記の実施形態で例示した構造に限らず、配置や形状を種々変更して実施することができる。また、作動手段については、温度ヒューズ以外の手段、例えば、煙感知器に連動して作動するソレノイドを用いてもよい。また、遮蔽板駆動手段については、錘部の配置や個数、連結部の構成を種々変更して実施することができる。また、内壁近接部及び遮蔽板近接部の配置や形状については、種々変更して実施することができる。
なお、各図面は設計図相当の精度で描かれている。
【産業上の利用可能性】
【００９６】
本発明は、火炎を遮蔽するための防火戸であって、ガラスが取り付けられた防火戸として、広く適用することができるものである。
【図面の簡単な説明】
【００９７】
【図１】本発明の第１実施形態に係る防火戸を示す正面図である。
【図２】図１のＡ−Ａ線矢視断面図である。
【図３】図２のＢ−Ｂ線矢視断面図である。
【図４】図２に示す防火戸における柱部材及びその近傍を拡大して示す断面図である。
【図５】図１に示す防火戸の図１とは異なる状態を示す正面図である。
【図６】図５のＣ−Ｃ線矢視断面図である。
【図７】図６のＤ−Ｄ線矢視断面図である。
【図８】図６に対応する断面図であって、火災によりガラスが破損した状態を示す断面図である。
【図９】図８のＥ−Ｅ線矢視断面図である。
【図１０】図３に示す防火戸における作動手段及びその近傍を拡大して示す断面図である。
【図１１】本発明の第２実施形態に係る防火戸を示す正面図である。
【図１２】図１１のＨ−Ｈ線矢視断面図である。
【図１３】図１１に示す防火戸の図１１とは異なる状態を示す正面図である。
【図１４】図１３のＩ−Ｉ線矢視断面図である。
【図１５】図１４のＪ−Ｊ線矢視断面図である。
【図１６】図１４に対応する断面図であって、火災によりガラスが破損した状態を示す断面図である。
【図１７】図１６のＫ−Ｋ線矢視断面図である。
【符号の説明】
【００９８】
１                            防火戸
１１                          戸本体
１２、１２ａ、１２ｂ          ガラス
１３                          遮蔽板
１４                          作動手段
１５                          遮蔽板駆動手段
１９                          開口
２７                          錘部
２８                          連結ワイヤ（連結部）
【図１】
2010126902.tif 000003
【図２】
2010126902.tif 000004
【図３】
2010126902.tif 000005
【図４】
2010126902.tif 000006
【図５】
2010126902.tif 000007
【図６】
2010126902.tif 000008
【図７】
2010126902.tif 000009
【図８】
2010126902.tif 000010
【図９】
2010126902.tif 000011
【図１０】
2010126902.tif 000012
【図１１】
2010126902.tif 000013
【図１２】
2010126902.tif 000014
【図１３】
2010126902.tif 000015
【図１４】
2010126902.tif 000016
【図１５】
2010126902.tif 000017
【図１６】
2010126902.tif 000018
【図１７】
2010126902.tif 000019